(57)【要約】【課題】非梱包物の保護性能が優れた緩衝材を提供すること。【解決手段】本発明の緩衝材は、空気調和機の室内機１の内部に設けられているフィルター１２に沿って設けられる緩衝材１３であって、一枚の板紙の一端を複数回折り曲げて構成される筒状の第１の折り曲げ部２４を備え、第１の折り曲げ部２４がフィルターの下端側となるように緩衝材１３を配置し、第１の折り曲げ部２４においてフィルターと対向する箇所に、フィルターを抑える突起部１１を設けた。【選択図】図２
2012086865.tif 000002
【特許請求の範囲】
【請求項１】
空気調和機の室内機の内部に設けられているフィルターに沿って設けられる緩衝材であって、一枚の板紙の一端を複数回折り曲げて構成される筒状の第１の折り曲げ部を備え、前記第１の折り曲げ部が前記フィルターの下端側となるように前記緩衝材を配置し、前記第１の折り曲げ部において前記フィルターと対向する箇所に、前記フィルターを抑える突起部を設けたことを特徴とする緩衝材。
【請求項２】
前記第１の折り曲げ部の端部に段差部を設け、前記室内機の前面枠に形成される空間に、前記段差部を差し込む構成としたことを特徴とする請求項１に記載の緩衝材。
【請求項３】
一端に第１の折り曲げ部を設けた前記板紙の他端に第２の折り曲げ部を備え、前記第２の折り曲げ部を、前記フィルターの上端と前記室内機の前面枠との間の空間に配置したことを特徴とする請求項１または２に記載の緩衝材。
【発明の詳細な説明】
【技術分野】
【０００１】
本発明は、分離型空気調和機の室内機等の梱包に用いられる緩衝材に関するものである。
【背景技術】
【０００２】
従来から空気調和機の室内機は、輸送時等の衝撃を和らげるために、室内機１０１の両端部に外装緩衝材１０２を当てがい、筒状の外箱１０３に収納し、結束バンド１０４で結束して梱包を行っている（例えば、特許文献１参照）。
【先行技術文献】
【特許文献】
【０００３】
【特許文献１】特開２００５−１７０４５２号公報
【発明の概要】
【発明が解決しようとする課題】
【０００４】
しかしながら、前記従来の技術では、非梱包物である室内機の外部からの衝撃は防げるものの、近年の室内機の高機能化に伴い、室内機内部の駆動部品が増加傾向にあるため、室内機内部への影響を抑制することはできないという課題を有していた。
【０００５】
それに対して、内部の駆動部品などをテープで固定して輸送するという手段もあるが、テープで貼り付けた場合、設置工事時にテープを取り忘れてしまい、そのまま運転を開始すると不具合が発生してしまう。
【０００６】
本発明は、前記従来の課題を解決するもので、非梱包物の保護性能が優れた緩衝材を提供することを目的とする。
【課題を解決するための手段】
【０００７】
前記従来の課題を解決するために、本発明の緩衝材は、空気調和機の室内機の内部に設けられているフィルターに沿って設けられる緩衝材であって、一枚の板紙の一端を複数回折り曲げて構成される筒状の第１の折り曲げ部を備え、第１の折り曲げ部がフィルターの下端側となるように緩衝材を配置し、第１の折り曲げ部においてフィルターと対向する箇所に、フィルターを抑える突起部を設けたことにより、輸送時の振動によってもフィルターへ与える衝撃を抑制することができる。
【発明の効果】
【０００８】
本発明は、非梱包物の保護性能が優れた緩衝材を提供することができる。
【図面の簡単な説明】
【０００９】
【図１】本発明の実施の形態１における緩衝材の分解図
【図２】同実施の形態１における緩衝材の組み立て図
【図３】同実施の形態１におけるＡＡ断面図
【図４】同実施の形態１におけるフィルター分解図
【図５】同実施の形態１における緩衝材取り付け図
【図６】同実施の形態１における緩衝材取り付け図
【図７】同実施の形態１におけるＢＢ断面図
【図８】同実施の形態１における緩衝材取り付け作業図
【図９】同実施の形態１における梱包装置の分解図
【図１０】従来の梱包装置の分解図
【発明を実施するための形態】
【００１０】
第１の発明の緩衝材は、空気調和機の室内機の内部に設けられているフィルターに沿って設けられる緩衝材であって、一枚の板紙の一端を複数回折り曲げて構成される筒状の第１の折り曲げ部を備え、第１の折り曲げ部がフィルターの下端側となるように緩衝材を配置し、第１の折り曲げ部においてフィルターと対向する箇所に、フィルターを抑える突起部を設けたことにより、輸送時の振動によってもフィルターへ与える衝撃を抑制することができる。
【００１１】
第２の発明の緩衝材は、特に第１の発明において、第１の折り曲げ部の端部に段差部を設け、室内機の前面枠に形成される空間に、段差部を差し込む構成としたことにより、緩衝材自体の移動を防止し、突起部が常にフィルターの一定位置を押さえることができ、さらにテープなどで固定する作業を廃止できるので、組み立て作業性を向上することができる。
【００１２】
第３の発明の緩衝材は、特に第１または第２の発明において、一端に第１の折り曲げ部を設けた板紙の他端に第２の折り曲げ部を備え、第２の折り曲げ部を、フィルターの上端と室内機の前面枠との間の空間に配置したことにより、フィルターを確実に固定することができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における空気調和機の室内機の緩衝材の分解図であり、図２は、同緩衝材の組み立て斜視図である。なお、図１において、点線は谷折りを示し、実線は山折りを示す。本実施の形態における室内機１の内部に入れる緩衝材１３は、一枚のダンボール等の板紙を折り曲げて構成されている。なお、本実施の形態では一枚の板紙を折り曲げて構成するが、これに限定されることはなく、複数の板紙を組み合わせて構成しても問題は無い。
【００１５】
図１に示すように、一枚の板紙を点線で谷折り、実線で山折りして、板紙の上下両端を折り曲げて、図２に示すように緩衝材を作る。
【００１６】
まず、緩衝材１３の下端について説明する。緩衝材１３の下端を点線部で谷折りを４回繰り返すことによって、筒状の第１の折り曲げ部２４を作る。特に、強度を持たせるために、図１に示す第一面５１と第五面５５とが接するように折り曲げ、第五面５５を切り起こして設けたツメ５を、第二面５２に設けた挿入穴８に挿入することによって、第１の折り曲げ部２４を形成している。
【００１７】
なお、図１に示すように、一枚の板紙を折り曲げて緩衝材を作っているが、それぞれの折り曲げによって形成される面を、板紙の下端から第一面５１、第二面５２、第三面５３、第四面５４、第五面５５、第六面５６、第七面５７、第八面５８として、説明を行う。
【００１８】
また、第四面５４と第五面５５の一部に切込み１０を入れ、第四面５４と第五面５５との間に形成されている折り曲げ線とは異なる折り曲げ線９を設けて、フィルター側に凸形状となる突起部１１を作る。
【００１９】
本実施の形態では、図１および図２に示すように、切込み１０を４箇所に設け、左右両
端部の切込み１０と板紙の端部との間に折り曲げ線９を設けて、左右に突起部１１を作る。さらに、中央付近に２つの切込み１０を設けて、中央部に設けた切込み１０同士の間に折り曲げ線９を設けて、中央に突起部１１を作る。このようにして、３つの突起部１１をフィルター１２に対向する位置に形成する。なお、折り曲げ線９は平行に二本設けており、一方を山折り、他方を谷折りとすることで突起部１１が形成されている。
【００２０】
次に、緩衝材１３の上端について説明する。緩衝材１３の上端についても点線部で谷折りを２回行うことによって、三角柱状の第２の折り曲げ部２５を作る。そして、第八面５８に切り欠き部７を設け、第六面５６を切り起こして設けたツメ６を切り欠き部７に引っ掛けることによって第２の折り曲げ部２５が形成される。
【００２１】
図３は図２のＡＡ断面図であり、図４は空気調和機の室内機の前面パネル１５を開けた状態の斜視図である。図５、図６は、室内機へ緩衝材１３を取り付けた状態を示した取り付け図である。図７は図６のＢＢ断面図である。
【００２２】
図４に示すように、フィルターは横方向および縦方向に桟が設けられており、桟と桟で区画される箇所にネットを設けてフィルターを構成している。そして、図３に示すように、緩衝材１３をくの字形状に折り曲げて、図４および図５に示すように、フィルター１２の形状に沿って、フィルター１２の上方から緩衝材１３を載置し、フィルター１２と前面パネル１５との間に緩衝材１３を介在させている。
【００２３】
つまり、フィルター１２の上に緩衝材１３を置き、さらに緩衝材１３の上から前面パネル１５を閉めることによって、フィルター１２を緩衝材１３の突起部１１で押さえつけるので、フィルター１２を固定することができる。なお、突起部１１はフィルター１２のネットを破らないように、フィルター１２の桟の部分を押さえる位置に形成している。なお抑える桟は縦方向の桟であっても、横方向の桟であってもよく、力を加えても損傷させない箇所を押さえる構成となればよい。
【００２４】
図３に示すように、第１の折り曲げ部２４の形状は、第五面５５よりもフィルター側に凸形状となる三角形状をしており、その頂点部分でフィルター１２を押さえている。
【００２５】
また、本実施の形態では、図２に示すように、緩衝材１３を組み立てた際に、フィルター１２と前面パネル１５との間に配置される箇所に、段差部２１を設けている。具体的には、緩衝材１３の右端に第三面５３から段差を設けて切り欠き、段差部２１を設けている。なお、段差部２１を設ける箇所は、本実施の形態では右端に設けているが、これに限定されることはなく、左端に設けてもよいし、両方に設けてもよい。
【００２６】
このように設けた段差部２１は、緩衝材１３を室内機１の内部に取り付ける際に、室内機１の前面枠に固定される。図８は、緩衝材１３を室内機１へ取り付ける際の作業状態図である。図８に矢印で示すように、まず、段差部２１を前面枠１６に形成された空間に差し込む。その後、前面枠に差し込んだ側と反対側（本実施の形態では、緩衝材１３の左端）をフィルター１２側へ押し込む。
【００２７】
このようにすることで、段差部２１が前面枠１６の空間に差し込まれて固定されるので、輸送時の衝撃等によって緩衝材１３が外れてしまうことを大幅に軽減することができる。さらに、緩衝材１３を固定する作業をテープ等の別部材を使わずとも可能であるため、作業性が向上し、また、設置時にはテープ等のとり忘れを防ぐことができる。
【００２８】
また、本実施の形態では、第２の折り曲げ部２５を備えており、第２の折り曲げ部２５はフィルターの上端側へ配置される。そして、フィルター１２と前面枠１６との間に形成
されている隙間を埋めるように、配置される。このようにすることで、フィルター１２の外れを上側からも抑制することができる。
【００２９】
そして、図９に示すように、室内機１の支持および保護を行う緩衝材１３を組み入れた後は、ナイロンなどの袋２２に室内機１を入れ、発砲材やダンボールなどの紙材で形成された外側緩衝材２を左右方向から覆い、ダンボールなどの筒状に形成された外箱３に、室内機１と外側緩衝材２とを挿入し、最後に結束バンド４で結束して梱包を完了させる。
【００３０】
以上のように、本実施の形態では、室内機の内部の構成部品の移動を抑制し、室内機１の損傷を抑制することができる緩衝材を提供することができる。
【産業上の利用可能性】
【００３１】
本発明に係る緩衝材は、被梱包物の内部の保護性に優れ、機器内部の部品を固定する梱包装置の用途に適している。
【符号の説明】
【００３２】
１１  突起部
１２  フィルター
１３  緩衝材
１５  前面パネル
１６  前面枠
２１  段差部
２４  第１の折り曲げ部
２５  第２の折り曲げ部
５１  第一面
５２  第二面
５３  第三面
５４  第四面
５５  第五面
５６  第六面
５７  第七面
５８  第八面
【図１】
2012086865.tif 000003
【図２】
2012086865.tif 000004
【図３】
2012086865.tif 000005
【図４】
2012086865.tif 000006
【図５】
2012086865.tif 000007
【図６】
2012086865.tif 000008
【図７】
2012086865.tif 000009
【図８】
2012086865.tif 000010
【図９】
2012086865.tif 000011
【図１０】
2012086865.tif 000012